(57)【要約】【課題】紙葉状の媒体を適切に集積できるようにする。【解決手段】リジェクト庫１６の放出部２２は、挟持位置Ｕ１において挟持搬送部３３により紙幣ＢＬを挟持面３３Ａに挟持すると共に、挟持位置Ｕ１の羽根車３８及び押曲位置Ｕ２の押曲部４１により、当該紙幣ＢＬの端部分を挟持面３３Ａよりも上方へそれぞれ持ち上げる。これにより放出部２２は、紙幣ＢＬを集積空間２１Ａ内へ放出する直前に、左右の端部分を挟持面３３Ａよりも上方へ持ち上げることができるので、放出後も長時間に渡って湾曲面ＳＣを形成した状態に維持させることができ、上下方向の曲げ強度を高めたまま当該集積空間２１Ａ内を滑空させることができる。この結果、放出部２２は、放出した紙幣ＢＬを最終的にステージ２５上に集積されている既存の紙幣ＢＬの真上に整然と積み重ねることができる。【選択図】図４
2013239075.tif 000002
【特許請求の範囲】
【請求項１】
紙葉状の媒体を集積する集積空間と、
上記媒体の一面側及びその反対面側とそれぞれ対向し、上記集積空間の外部及び内部を結ぶ搬送路に沿って上記媒体を案内する案内部と、
上記搬送路中に設けられ、上記媒体を上記一面及び上記反対面から挟持し上記集積空間内へ向けて搬送する挟持搬送部と、
上記案内部の上記一面側における、上記集積空間側の端部又は当該端部と上記挟持搬送部による上記媒体の挟持箇所との間に設けられ、上記媒体の一部を上記挟持搬送部による挟持面よりも上記反対面側へ押し曲げる押曲部と
を具えることを特徴とする媒体集積装置。
【請求項２】
上記媒体の搬送方向に関し上記挟持箇所と同一又はその近傍となる箇所において、上記媒体の一部を上記挟持搬送部による挟持面よりも上記反対面側へ押し曲げる近傍押曲部
をさらに具えることを特徴とする媒体集積装置。
【請求項３】
上記押曲部の上記案内部における上記一面からの突出量を変更する突出量変更部と、
上記押曲部を上記案内部の上記反対面側に付勢する付勢部と
をさらに具えることを特徴とする請求項２に記載の媒体集積装置。
【請求項４】
上記媒体を上記集積空間内から上記案内経路を経て外部へ排出する際、上記押曲部の上記付勢部による付勢を抑制して上記一面からの突出量を減少させる抑制部
をさらに具えることを特徴とする請求項３に記載の媒体集積装置。
【請求項５】
上記押曲部は、
上記媒体と当接する箇所に、上記媒体の進行に伴い回転する押付ローラを具える
ことを特徴とする請求項１に記載の媒体集積装置。
【請求項６】
上記案内部は、
上記反対面側における上記変形部と対向する箇所に、上記媒体の進行に伴い回転する対向ローラを具える
ことを特徴とする請求項１に記載の媒体集積装置。
【請求項７】
上記案内部は、
上記反対面側における上記変形部と対向する箇所に、周囲よりも上記一面側から離れた溝部が形成された
ことを特徴とする請求項１に記載の媒体集積装置。
【請求項８】
上記案内部の上記反対面側における、上記集積空間側の端部と上記挟持搬送部による上記媒体の挟持箇所との間に設けられ、上記媒体の一部を上記挟持搬送部による挟持面から上記一面側へ押し曲げる反対押曲部
をさらに具えることを特徴とする請求項１に記載の媒体集積装置。
【請求項９】
上記案内部の上記一面側における、上記挟持搬送部による上記媒体の挟持箇所よりも上記集積空間の外部側に設けられ、上記媒体の一部を上記挟持搬送部による挟持面から上記反対面側へ押し曲げる外押曲部
をさらに具えることを特徴とする請求項１に記載の媒体集積装置。
【請求項１０】
紙葉状の媒体を搬送する搬送部と、
上記媒体を集積する集積空間と、
上記媒体の一面側及びその反対面側とそれぞれ対向し、上記搬送部により搬送されてきた上記媒体を上記集積空間の外部及び内部を結ぶ搬送路に沿って案内する案内部と、
上記搬送路中に設けられ、上記媒体を上記一面及び上記反対面から挟持し上記集積空間内へ向けて搬送する挟持搬送部と、
上記案内部の上記一面側における、上記集積空間側の端部又は当該端部と上記挟持搬送部による上記媒体の挟持箇所との間に設けられ、上記媒体の一部を上記挟持搬送部による挟持面よりも上記反対面側へ押し曲げる押曲部と
を具えることを特徴とする媒体処理装置。
【発明の詳細な説明】
【技術分野】
【０００１】
本発明は媒体集積装置及び媒体処理装置に関し、例えば紙幣等の媒体を投入して所望の取引を行う現金自動預払機（ＡＴＭ）等に適用して好適なものである。
【背景技術】
【０００２】
従来、金融機関等で使用される現金自動預払機等においては、顧客との取引内容に応じて、例えば顧客に紙幣や硬貨等の現金を入金させ、また顧客へ現金を出金するようになされている。
【０００３】
現金自動預払機としては、例えば顧客との間で紙幣の授受を行う紙幣入出金口と、投入された紙幣の金種及び真偽を鑑別する鑑別部と、投入された紙幣を一時的に保留する一時保留部と、金種ごとに紙幣を格納する紙幣カセットと、再利用すべきでない紙幣（リジェクト紙幣）を収納するリジェクト庫とを有するものが提案されている。
【０００４】
この現金自動預払機は、入金取引において、顧客が紙幣入出金口に紙幣を投入すると、投入された紙幣を鑑別部で鑑別し、正常紙幣と鑑別された紙幣を一時保留部で保留する一方、取引すべきでないと鑑別された紙幣を紙幣入出金口へ戻して顧客に返却する。続いて現金自動預払機は、顧客により入金金額が確定されると、一時保留部に保留した紙幣の金種を鑑別部により再鑑別し、鑑別された金種に応じて各紙幣カセットへ収納する。
【０００５】
またこの現金自動預払機は、鑑別部において損傷の程度が大きいと判別され再利用すべきでない紙幣（リジェクト紙幣）をリジェクト庫に搬送し、他の紙幣と区別して収納するようになされている。
【０００６】
このリジェクト庫としては、例えば、搬送されてくる紙幣ＢＬを内部の空間に放出し、落下させることにより順次集積するようになされたものがある。
【０００７】
例えば図２３に示すように、従来のリジェクト庫１５１６では、短手方向に沿って搬送されてくる紙幣ＢＬを放出部１５２２により内部の集積空間２１Ａ内へ放出するようになされている。放出部１５２２は、回転する集積ローラ３４及びプレッシャローラ３６の間に紙幣ＢＬを挟持し搬送路Ｗに沿って後方へ搬送し、集積空間２１Ａ内へ放出した後、回転する羽根車３８により当該紙幣ＢＬを下方向へ叩き付ける。これによりリジェクト庫１５１６は、集積空間２１Ａ内で紙幣ＢＬの紙面を互いに当接させてステージ２５上に整然と集積する。
【０００８】
このリジェクト庫１５１６では、仮に放出後に紙幣ＢＬの先端が上方向又は下方向を向いた場合、そのままの進行方向を維持できなくなり既存の紙幣の真上に落下しなくなるため、正しく集積できなくなる恐れがある。
【０００９】
そこでリジェクト庫１５１６は、図２４（Ａ）及び（Ｂ）に放出部１５２２を拡大して示すように、羽根車３８により、紙幣ＢＬの一部を集積ローラ３４及びプレッシャローラ３６により挟持される位置よりも高く持ち上げて当該紙幣ＢＬを長手方向（幅方向）に湾曲させている。
【００１０】
これによりリジェクト庫１５１６は、紙幣の短手方向（搬送方向）に関する曲げ強度を強めることができ、放出後の直進性を高めるようになされている（例えば、特許文献１参照）。
【先行技術文献】
【特許文献】
【００１１】
【特許文献１】特開２００７−１３１４２８公報（第５図）
【発明の概要】
【発明が解決しようとする課題】
【００１２】
ところで紙幣ＢＬは、流通する過程において様々に取り扱われるため、折り曲げられるなどした結果、流通前の新札の状態よりも曲げ強度が低下し、いわばコシが弱くなることがある。また紙幣は、湿度が高い場合にも、コシが弱くなってしまうことがある。
【００１３】
特にリジェクト庫に搬送されてくる紙幣ＢＬは、鑑別部により損傷の程度が大きいと判断されたものであるため、このようにコシが弱い紙幣ＢＬである可能性が高い。
【００１４】
リジェクト庫は、このようなコシが弱い紙幣ＢＬが搬送されてきた場合、挟持した際に長手方向に湾曲させてから放出したとしても、当該紙幣ＢＬの一部が垂れ下がるなどして直進性を低下させることがあり、このような場合に最終的に当該紙幣を正しく集積できなくなってしまう、という問題があった。
【００１５】
本発明は以上の点を考慮してなされたもので、紙葉状の媒体を適切に集積し得る媒体集積装置及び媒体処理装置を提案しようとするものである。
【課題を解決するための手段】
【００１６】
かかる課題を解決するため本発明の媒体集積装置においては、紙葉状の媒体を集積する集積空間と、媒体の一面側及びその反対面側とそれぞれ対向し、集積空間の外部及び内部を結ぶ搬送路に沿って媒体を案内する案内部と、搬送路中に設けられ、媒体を一面及び反対面から挟持し集積空間内へ向けて搬送する挟持搬送部と、案内部の一面側における、集積空間側の端部又は当該端部と挟持搬送部による媒体の挟持箇所との間に設けられ、媒体の一部を挟持搬送部による挟持面よりも反対面側へ押し曲げる押曲部とを設けるようにした。
【００１７】
本発明の媒体集積装置は、挟持搬送部により挟持箇所で媒体を挟持すると共に、押曲部により挟持箇所よりも集積空間側で当該媒体を反対面側へ押し曲げることにより、搬送方向に関し互いに異なる箇所において媒体に互いに反対方向の力を作用させて湾曲させることができる。さらに本発明は、この状態で紙幣を搬送することにより、媒体を集積空間内へ放出した後に長い時間に渡って当該媒体を湾曲された状態に維持させることができ、その直進性を高めることができる。
【００１８】
また本発明の媒体処理装置においては、紙葉状の媒体を搬送する搬送部と、媒体を集積する集積空間と、媒体の一面側及びその反対面側とそれぞれ対向し、搬送部により搬送されてきた媒体を集積空間の外部及び内部を結ぶ搬送路に沿って案内する案内部と、搬送路中に設けられ、媒体を一面及び反対面から挟持し集積空間内へ向けて搬送する挟持搬送部と、案内部の一面側における、集積空間側の端部又は当該端部と挟持搬送部による媒体の挟持箇所との間に設けられ、媒体の一部を挟持搬送部による挟持面よりも反対面側へ押し曲げる押曲部とを設けるようにした。
【００１９】
本発明の媒体処理装置は、挟持搬送部により挟持箇所で媒体を挟持すると共に、押曲部により挟持箇所よりも集積空間側で当該媒体を反対面側へ押し曲げることにより、搬送方向に関し互いに異なる箇所において媒体に互いに反対方向の力を作用させて湾曲させることができる。さらに本発明は、この状態で紙幣を搬送することにより、媒体を集積空間内へ放出した後に長い時間に渡って当該媒体を湾曲された状態に維持させることができ、その直進性を高めることができる。
【発明の効果】
【００２０】
本発明によれば、挟持搬送部により挟持箇所で媒体を挟持すると共に、押曲部により挟持箇所よりも集積空間側で当該媒体を反対面側へ押し曲げることにより、搬送方向に関し互いに異なる箇所において媒体に互いに反対方向の力を作用させて湾曲させることができる。さらに本発明は、この状態で紙幣を搬送することにより、媒体を集積空間内へ放出した後に長い時間に渡って当該媒体を湾曲された状態に維持させることができ、その直進性を高めることができる。かくして本発明は、紙葉状の媒体を適切に集積し得る媒体集積装置及び媒体処理装置を実現できる。
【図面の簡単な説明】
【００２１】
【図１】現金自動預払機の構成を示す略線的斜視図である。
【図２】紙幣入出金機の構成を示す略線的側面図である。
【図３】リジェクト庫の構成を示す略線図である。
【図４】第１の実施の形態による放出部の構成（１）を示す略線図である。
【図５】第１の実施の形態による放出部の構成（２）を示す略線図である。
【図６】放出部による紙幣の湾曲を示す略線図である。
【図７】紙幣を支持する位置の対比（１）を示す略線図である。
【図８】紙幣を支持する位置の対比（２）を示す略線図である。
【図９】第２の実施の形態による放出部の構成を示す略線図である。
【図１０】第２の実施の形態における押曲片の回動を示す略線図である。
【図１１】第３の実施の形態による放出部の構成を示す略線図である。
【図１２】第４の実施の形態による放出部の構成を示す略線図である。
【図１３】第５の実施の形態による放出部の構成（１）を示す略線図である。
【図１４】第５の実施の形態による放出部の構成（２）を示す略線図である。
【図１５】第６の実施の形態による放出部の構成を示す略線図である。
【図１６】他の実施の形態による放出部の構成を示す略線図である。
【図１７】他の実施の形態による放出部の構成を示す略線図である。
【図１８】他の実施の形態による放出部の構成を示す略線図である。
【図１９】他の実施の形態による放出部の構成を示す略線図である。
【図２０】他の実施の形態による放出部の構成を示す略線図である。
【図２１】他の実施の形態による放出部の構成を示す略線図である。
【図２２】他の実施の形態による紙幣の湾曲を示す略線図である。
【図２３】従来のリジェクト庫の構成を示す略線図である。
【図２４】従来の放出部の構成（１）を示す略線図である。
【図２５】従来の放出部の構成（２）を示す略線図である。
【図２６】従来の放出部の構成（３）を示す略線図である。
【発明を実施するための形態】
【００２２】
以下、発明を実施するための形態（以下実施の形態とする）について、図面を用いて説明する。
【００２３】
［１．第１の実施の形態］
［１−１．現金自動預払機の全体構成］
図１に外観を示すように、現金自動預払機１は、箱状の筐体２を中心に構成されており、例えば金融機関等に設置され、顧客との間で入金取引や出金取引等の現金に関する取引を行うようになされている。
【００２４】
筐体２は、その前側に顧客が対峙した状態で紙幣ＢＬの投入やタッチパネルによる操作等をしやすい箇所、すなわち前面の上部から上面に渡る部分が斜めに切り落とされたような形状となっており、この部分に顧客操作部３が設けられている。
【００２５】
顧客操作部３は、顧客との間で現金や通帳等を直接やり取りすると共に、取引に関する情報の通知や操作指示の受付を行うようになされており、カード入出口４、入出金口５、操作表示部６、テンキー７、及びレシート発行口８が設けられている。
【００２６】
カード入出口４は、キャッシュカード等の各種カードが挿入または排出される部分である。カード入出口４の奥側には、各種カードに磁気記録された口座番号等の読み取りを行うカード処理部（図示せず）が設けられている。
【００２７】
入出金口５は、顧客が入金する紙幣ＢＬが投入されると共に、顧客へ出金する紙幣ＢＬが排出される部分である。また入出金口５は、シャッタを駆動することにより開放又は閉塞するようになされている。因みに紙幣ＢＬは、例えば長方形の紙で構成されている。
【００２８】
操作表示部６は、取引に際して操作画面を表示するＬＣＤ（Liquid Crystal Display）と、取引の種類の選択、暗証番号や取引金額等を入力するタッチパネルとが一体化されている。
【００２９】
テンキー７は、「０」〜「９」の数字等の入力を受け付ける物理キーであり、暗証番号や取引金額等の入力操作時に用いられるようになされている。
【００３０】
レシート発行口８は、取引処理の終了時に取引内容等を印字したレシートを発行する部分である。因みにレシート発行口８の奥側には、レシートに取引内容等を印字するレシート処理部（図示せず）が設けられている。
【００３１】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００３２】
筐体２内には、現金自動預払機１全体を統括制御する主制御部９や、紙幣ＢＬに関する種々の処理を行う紙幣入出金機１０等が設けられている。
【００３３】
主制御部９は、図示しないＣＰＵ（Central Processing Unit）を中心に構成されており、図示しないＲＯＭやフラッシュメモリ等から所定のプログラムを読み出して実行することにより、入金取引や出金取引等の種々の処理を行うようになされている。
【００３４】
また主制御部９は、内部にＲＡＭ（Random Access Memory）、ハードディスクドライブやフラッシュメモリ等でなる記憶部９Ａを有しており、この記憶部９Ａに種々の情報を記憶させるようになされている。
【００３５】
因みに筐体２は、前面側やその後面側等の一部の側面が開閉可能な扉により構成されている。すなわち筐体２は、顧客との間で現金に関する取引を行う取引動作時には、図１に示したように各扉を閉塞することにより、紙幣入出金機１０内に収納している紙幣ＢＬを保護する。一方筐体２は、作業者等が保守作業を行う保守作業時には、必要に応じて各扉を開放することにより、内部の各部に対する作業を容易に行わせ得るようになされている。
【００３６】
紙幣入出金機１０は、図２に側面図を示すように、紙幣ＢＬに関する種々の処理を行う複数の部分が組み合わされた構成となっている。また紙幣入出金機１０の各部分は、紙幣制御部１１により制御されるようになされている。
【００３７】
紙幣制御部１１は、主制御部９と同様、図示しないＣＰＵを中心に構成されており、図示しないＲＯＭやフラッシュメモリ等から所定のプログラムを読み出して実行することにより、紙幣ＢＬの搬送先を決定する処理等、種々の処理を行うようになされている。
【００３８】
また紙幣制御部１１は、内部にＲＡＭ及びフラッシュメモリ等でなる記憶部１１Ａ（図１）を有しており、この記憶部１１Ａに種々の情報を記憶させるようになされている。
【００３９】
紙幣制御部１１は、例えば顧客が紙幣ＢＬを入金する入金取引を行う場合、操作表示部６を介して所定の操作入力を受け付けた後、入出金口５のシャッタを開いて入出金部１２内へ紙幣ＢＬを投入させる。
【００４０】
入出金部１２は、収容器１２Ａに紙幣ＢＬが投入されると、入出金口５のシャッタを閉じて当該収容器１２Ａから紙幣ＢＬを１枚ずつ取り出し、搬送部１３へ受け渡す。搬送部１３は、長方形の紙葉状に構成された紙幣ＢＬを短辺方向に沿って進行させ、鑑別部１４へ搬送する。
【００４１】
鑑別部１４は、その内部で紙幣ＢＬを搬送しながら、光学素子や磁気検出素子等を用いて当該紙幣ＢＬの金種及び真偽、並びに損傷の程度等を鑑別し、その鑑別結果を紙幣制御部１１へ通知する。これに応じて紙幣制御部１１は、取得した鑑別結果に基づいていて当該紙幣ＢＬの搬送先を決定する。
【００４２】
このとき搬送部１３は、鑑別部１４において正常紙幣と鑑別された紙幣ＢＬを一時保留部１５へ搬送する等して一時的に保留させる一方、取引すべきでないと鑑別されたリジェクト紙幣を入出金部１２へ搬送して顧客に返却する。
【００４３】
その後紙幣制御部１１は、操作表示部６（図１）を介して顧客に入金金額を確定させ、一時保留部１５に保留している紙幣ＢＬを搬送部１３により鑑別部１４へ搬送してその金種及び損傷の程度等を鑑別させ、その鑑別結果を取得する。
【００４４】
そして紙幣制御部１１は、紙幣ＢＬの損傷の程度が大きければ、これを再利用すべきでない紙幣ＢＬとして搬送部１３によりリジェクト庫１６へ搬送して収納させ、損傷の程度が小さければ、これを再利用すべき紙幣ＢＬとして搬送部１３により搬送させ、その金種に応じた紙幣カセット１７に収納させるようになされている。
【００４５】
［１−２．リジェクト庫の構成］
リジェクト庫１６は、図３に模式化した側面図を示すように、直方体状の筐体２１内に紙幣ＢＬを取り込んで集積するようになされている。
【００４６】
筐体２１は前後、左右及び上下の各側面をほぼ閉塞することにより、内部に紙幣ＢＬを集積する集積空間２１Ａを形成している。
【００４７】
集積空間２１Ａの前側には、集積される紙幣ＢＬの前側の位置を定める前側面板２４が設けられており、集積空間２１Ａの内部には、上下に移動すると共にその上面に紙幣ＢＬを載置するステージ２５が設けられている。
【００４８】
筐体２１の前上方には、左右に細長い長孔が穿設されると共に、放出部２２が設けられている。放出部２２は、短手方向に沿って搬送されてくる紙幣ＢＬを前方から取り込んで後方へ搬送し、当該紙幣ＢＬをそのまま後方へ向けて集積空間２１Ａ内へ放出するようになされている（詳しくは後述する）。
【００４９】
筐体２１の内部における後面上方には、ビルストッパ２３が設けられている。ビルストッパ２３は、筐体２１の後側面板に対して図示しない弾性体を介して取り付けられており、前方から外力が加えられると、この弾性体を弾性作用させるようになされている。
【００５０】
実際上ビルストッパ２３は、放出部２２から後方へ向けて放出され、紙面を上下に向けた状態で集積空間２１Ａ内を滑空してくる紙幣ＢＬの先端が衝突すると、その衝撃を吸収し、跳ね返すように前方へ進行させる。
【００５１】
その後紙幣ＢＬは、放出部２２の羽根車３８（詳しくは後述する）により下方へ叩き付けられると共に前方へ引き寄せられ、その前端を前側面板２４に押し付けるようにして、ステージ２５上に既に集積されている紙幣ＢＬの上に、互いの紙面を対向させるように整然と集積される。
【００５２】
このようにリジェクト庫１６は、搬送部１３により前方から供給される紙幣ＢＬを取り込んで放出部２２により集積空間２１Ａ内へ放出することにより、当該紙幣ＢＬをステージ２５上に集積するようになされている。
【００５３】
［１−３．放出部の構成］
放出部２２は、図３の一部を拡大した右側面図である図４（Ａ）及びその背面図である図４（Ｂ）に示すように、前方から後方へ向けて紙幣ＢＬを搬送する搬送路Ｗを中心に構成されている。
【００５４】
搬送路Ｗは、その上下に配置された上搬送ガイド３１及び下搬送ガイド３２により上下方向に仕切られている。換言すれば、上搬送ガイド３１及び下搬送ガイド３２における上下の隙間が搬送路Ｗとなっている。
【００５５】
上搬送ガイド３１及び下搬送ガイド３２は、それぞれ筐体２１（図３）の前側面と集積空間２１Ａの前端部分との間に渡されており、紙幣ＢＬが筐体２１の外部から集積空間２１Ａ内に到達するまでの間、当該紙幣ＢＬを案内して搬送路Ｗに沿って進行させるようになされている。
【００５６】
また上搬送ガイド３１及び下搬送ガイド３２は、それぞれ上下に薄い板状の部材で構成され、適宜上下に貫通する孔部が穿設されている。
【００５７】
上搬送ガイド３１、下搬送ガイド３２及び搬送路Ｗにおける、後端からやや前方に離れた箇所には、紙幣ＢＬを上下から挟持すると共に後方向へ搬送する挟持搬送部３３が設けられている。
【００５８】
挟持搬送部３３は、搬送路Ｗの下側及び上側にそれぞれ配置された集積ローラ３４及びプレッシャローラ３６により、紙幣ＢＬを上下から挟持するようになされている。
【００５９】
集積ローラ３４は、中心軸を左右方向に向けた薄い円柱状に構成されており、左右方向に細長い円柱状でなる軸３５により、互いの中心軸を一致させるように貫通されている。
【００６０】
軸３５は、図４（Ｂ）に示したように、左右方向に適宜間隔を空けて２個の集積ローラ３４が貫通されると共に、図示しない軸受により筐体２１に対し回転自在に支持されている。
【００６１】
プレッシャローラ３６は、集積ローラ３４の半径を縮小したような薄い円柱状に構成されており、左右方向に細長い円柱状でなる軸３７により貫通されている。軸３７は、プレッシャローラ３６を回転自在に支持すると共に、図示しないスプリングにより下方向に付勢されており、当該プレッシャローラ３６を集積ローラ３４に押し付けるようになされている。
【００６２】
このためプレッシャローラ３６は、真下に紙幣ＢＬが位置している場合、図４（Ｂ）におけるＡ１−Ａ２断面を図５（Ａ）に示すように、紙幣ＢＬを集積ローラ３４に押し付けることにより、当該集積ローラ３４との間に当該紙幣ＢＬを挟持することができる。以下、集積ローラ３４及びプレッシャローラ３６により紙幣ＢＬを挟持する前後方向の位置を挟持位置Ｕ１と呼ぶ。
【００６３】
また軸３５には、２個の集積ローラ３４それぞれにおける左右両側に、合計４個の羽根車３８が貫通されている（図４（Ｂ））。羽根車３８は、図４（Ａ）に示したように、中心軸を左右方向に向けた薄い円柱状の中心部３８Ａから４本の細長い薄板状の舌片３８Ｂが放射状に延設されている。
【００６４】
この舌片３８Ｂは、可撓性を有しており、紙幣ＢＬに押し付けられると、図４（Ｂ）におけるＢ１−Ｂ２断面を図５（Ｂ）に示すように、撓みながら当該紙幣ＢＬにある程度の外力を加えることにより、当該紙幣ＢＬを上方へ持ち上げるようになされている。因みに舌片３８Ｂが紙幣ＢＬと当接する位置は、挟持位置Ｕ１よりも僅かに前方、すなわち挟持位置Ｕ１の近傍となっている。
【００６５】
さらに軸３５は、図示しないモータやギヤ等を介して回転駆動力が伝達されるようになされている。このため２個のプレッシャローラ３６及び４個の羽根車３８は、放出方向Ｒ１（図４（Ａ）における時計方向）に軸３５が回転されると、当該軸３５と一体に回転する。
【００６６】
このとき挟持搬送部３３は、集積ローラ３４とプレッシャローラ３６との間に紙幣ＢＬを挟持していれば、当該紙幣ＢＬを後方向へ進行させ、上搬送ガイド３１及び下搬送ガイド３２の間に形成された搬送路Ｗに沿って搬送することができる。
【００６７】
さらに挟持搬送部３３は、紙幣ＢＬをある程度の速度で後方へ進行させることにより、当該紙幣ＢＬを上搬送ガイド３１及び下搬送ガイド３２の後端、すなわち搬送路Ｗの後端から集積空間２１Ａ内へ放出することができる。
【００６８】
かかる構成に加えて放出部２２には、下搬送ガイド３２の上面後端部に押曲部４１が設けられている。押曲部４１は、左右方向に薄く前後方向に長い薄板状に形成されており、左右方向から見て上底よりも下底が長い台形状となっている。換言すれば、押曲部４１は、下搬送ガイド３２の上面から上方へ向けて立設されたリブとなっている。
【００６９】
押曲部４１の上面は、前端から後端近傍までなだらかに上昇する斜面部４１Ａと、後端近傍において下搬送ガイド３２の上面とほぼ平行な平行部４１Ｂとにより構成されている。
【００７０】
平行部４１Ｂは、下搬送ガイド３２の上面を基準としたときの高さが、挟持搬送部３３における集積ローラ３４及びプレッシャローラ３６の挟持面３３Ａよりも高く、且つ上搬送ガイド３１の下面よりも低くなっている。また平行部４１Ｂと上搬送ガイド３１の下面との間に形成される隙間は、紙幣ＢＬの厚さよりも大きくなっている。
【００７１】
このため押曲部４１は、図４（Ｂ）におけるＣ１−Ｃ２断面を図５（Ｃ）に示すように、挟持搬送部３３により前方から後方へ向けて紙幣ＢＬが搬送されてくると、当該紙幣ＢＬを斜面部４１Ａに沿って摺動させながら徐々に上方へ押し上げていき、平行部４１Ｂにより当該紙幣ＢＬを挟持搬送部３３の挟持面３３Ａよりも高い位置に持ち上げる。
【００７２】
ここで押曲部４１の平行部４１Ｂは、挟持位置Ｕ１からある程度の間隔を空けた後側に位置している。以下では、前後方向に関しおおよそ平行部４１Ｂがある位置を押曲位置Ｕ２と呼ぶ。
【００７３】
また下搬送ガイド３２には、図４（Ｂ）に示したように、左右の外端近傍及び左右の中央近傍の合計３箇所に押曲部４１が設けられている。
【００７４】
かかる構成により放出部２２は、上搬送ガイド３１、下搬送ガイド３２及び搬送路Ｗの後端近傍において、挟持搬送部３３、羽根車３８及び押曲部４１により、紙幣ＢＬに対し、左右方向に互いに異なる箇所で上方向又は下方向へ向けた力を加えることになる。
【００７５】
具体的に紙幣ＢＬは、図６（Ａ）、（Ｂ）及び（Ｃ）に模式的に示すように、その右側部分において、挟持搬送部３３の集積ローラ３４及びプレッシャローラ３６により挟持されている箇所（以下これを挟持点Ｐ１と呼ぶ）で上下から力Ｆ１がそれぞれ作用する。
【００７６】
また紙幣ＢＬは、挟持点Ｐ１よりも外方（すなわち右側）であって羽根車３８の舌片３８Ｂが当接する箇所（以下これを当接点Ｐ２と呼ぶ）に、下面側から上方向へ向けて力Ｆ２が作用する。
【００７７】
さらに紙幣ＢＬは、当接点Ｐ２よりも外方（すなわち右側）且つ紙幣ＢＬの進行方向側（すなわち後方）であって押曲部４１の平行部４１Ｂが当接する箇所（以下これを押曲点Ｐ３と呼ぶ）に、下面側から上方向へ向けて力Ｆ３が作用する。
【００７８】
これにより紙幣ＢＬは、図６（Ａ）に示したように、上搬送ガイド３１の下面及び下搬送ガイド３２の上面とほぼ平行な部分（以下これを平行面部分ＳＰと呼ぶ）と、当該平行面部分ＳＰに対し左右方向に傾斜した部分（以下これを傾斜面部分ＳＬと呼ぶ）とが左右方向に交互に連接したような形状となる。
【００７９】
ここで押曲点Ｐ３の前後方向の位置は、挟持点Ｐ１及び当接点Ｐ２がある挟持位置Ｕ１及びその近傍から後方にある程度の間隔を空けた押曲位置Ｕ２にある。
【００８０】
このため放出部２２は、紙幣ＢＬを後方向へ搬送する際に、当接点Ｐ２において持ち上げた紙幣ＢＬの右端部分を押曲点Ｐ３において引き続き持ち上げることができ、さらに当該紙幣ＢＬを湾曲された形状のまま後方向へ順次進行させることができる。
【００８１】
これにより紙幣ＢＬは、図６（Ｂ）及び（Ｃ）に示したように、前後方向に長い傾斜面部分ＳＬを形成すると共に、当該傾斜面部分ＳＬと平行面部分ＳＰとの境界近傍に、前後方向に沿った中心軸を有する円柱又は楕円柱の側面のような湾曲面ＳＣを形成することができる。
【００８２】
このとき紙幣ＢＬは、この湾曲面ＳＣを前後方向に渡された「梁」のように作用させることができるので、当接点Ｐ２及び押曲点Ｐ３をいずれも含むような前後方向に長い区間に渡って、当該紙幣ＢＬの上下方向に関する曲げ強度を高めることができる。
【００８３】
因みに放出部２２は、ほぼ左右対称に構成されているため、紙幣ＢＬの右側部分においても同様に傾斜面部分ＳＬ及び湾曲面ＳＣを形成して曲げ強度を高めることができる。
【００８４】
この結果放出部２２は、放出後における紙幣ＢＬの上下方向への曲がりや垂れ下がり等を防止でき、集積空間２１Ａ内でほぼ真後ろへ進行させることができるので、最終的に、既にステージ２５上に集積された紙幣ＢＬの真上に積み重ねるように整然と集積させることができる。
【００８５】
このように放出部２２は、下搬送ガイド３２の上面における後端部に押曲部４１を設けたことにより、紙幣ＢＬの後方向への搬送時に、当該紙幣ＢＬに前後に長い湾曲面ＳＣを形成した状態で集積空間２１Ａ内へ放出するようになされている。
【００８６】
［１−４．動作及び効果］
以上の構成において、リジェクト庫１６の放出部２２は、紙幣ＢＬに対し、挟持搬送部３３の集積ローラ３４及びプレッシャローラ３６により挟持点Ｐ１において上下方向から力Ｆ１を作用させ、羽根車３８により当接点Ｐ２において下面側から力Ｆ２を作用させ、押曲部４１により押曲点Ｐ３において下面側から力Ｆ３を作用させる（図６）。
【００８７】
これにより放出部２２は、紙幣ＢＬのうち挟持搬送部３３により挟持する挟持点Ｐ１よりも外側の端部分を、当接点Ｐ２及び押曲点Ｐ３において挟持面３３Ａ（図５（Ａ））よりも上方へ持ち上げる。
【００８８】
このとき放出部２２は、押曲点Ｐ３を挟持点Ｐ１よりも上搬送ガイド３１及び下搬送ガイド３２の後端に近い箇所に配置したことにより、紙幣ＢＬを集積空間２１Ａ内へ放出する直前まで、左右の端部分を上方向へ持ち上げることができる。
【００８９】
そして放出部２２は、挟持搬送部３３により紙幣ＢＬを順次後方へ搬送することにより、前後に長い傾斜面部分ＳＬを形成すると共に、当該傾斜面部分ＳＬと平行面部分ＳＰとの境界近傍に、やはり前後に長い湾曲面ＳＣをそれぞれ形成しながら、紙幣ＢＬを集積空間２１Ａ内へ放出する。
【００９０】
放出部２２から放出された紙幣ＢＬは、湾曲面ＳＣにより上下方向の曲げ強度を高めた状態を維持したまま当該集積空間２１Ａ内を滑空できるので、まっすぐ後方へ進行することができ、ビルストッパ２３に跳ね返された後、最終的にステージ２５上に集積されている既存の紙幣ＢＬの真上に整然と積み重なることができる。
【００９１】
また放出部２２は、当接点Ｐ２においても紙幣ＢＬを上方へ持ち上げるようにしたことにより、紙幣ＢＬに対し左右方向に傾斜する傾斜面部分ＳＬを容易に形成させることができ、その断面形状を前後でほぼ一定に保つことができるので、当該紙幣ＢＬを後方へ搬送する際に、その進行に伴って無理な変形をさせることが無い。
【００９２】
これにより放出部２２は、押曲点Ｐ３のみで持ち上げる場合と比較して、傾斜面部分ＳＬ及び湾曲面ＳＣを無理なく形成することができるので、紙幣ＢＬを湾曲により不用意に傷めることも無い。
【００９３】
ここで従来の放出部１５２２（図２４）では、図７（Ａ）及び図８（Ａ）に示すように、前後方向に関し挟持位置Ｕ１においてのみ紙幣ＢＬを支持していたため、当該紙幣ＢＬのコシが弱い場合、当該挟持位置Ｕ１から離れた先端部分（すなわち後端部分）が下方へ垂れ下がる可能性があった。
【００９４】
また図２５に示すように、従来の放出部１６２２において、集積ローラ３４の左右両側に当該集積ローラ３４よりも半径が僅かに大きい補助ローラ１６３４が設けられた場合や、図２６に示すように、従来の放出部１７２２において集積ローラ１７３４が糸巻き状に形成された場合も、同様に前後方向に関し挟持位置Ｕ１においてのみ紙幣ＢＬを支持していた。このため放出部１６２２及び１７２２においても、同様に挟持位置Ｕ１から離れた先端部分（すなわち後端部分）が下方へ垂れ下がる可能性があった。
【００９５】
これに対し本発明による放出部２２では、図７（Ｂ）及び図８（Ｂ）に示すように、挟持位置Ｕ１に加えて押曲位置Ｕ２においても紙幣ＢＬを支持することになるため、当該紙幣ＢＬのコシが弱かったとしても、挟持位置Ｕ１から離れた先端部分（後端部分）が下方へ垂れ下がる可能性を大幅に低減できる。
【００９６】
以上の構成によれば、第１の実施の形態による放出部２２は、挟持位置Ｕ１において挟持搬送部３３により紙幣ＢＬを挟持面３３Ａに挟持すると共に、挟持位置Ｕ１の羽根車３８及び押曲位置Ｕ２の押曲部２４１により、当該紙幣ＢＬの端部分を挟持面３３Ａよりも上方へそれぞれ持ち上げる。これにより放出部２２は、紙幣ＢＬを集積空間２１Ａ内へ放出する直前に、左右の端部分を挟持面３３Ａよりも上方へ持ち上げることができるので、放出後も長時間に渡って湾曲面ＳＣを形成した状態に維持させることができ、上下方向の曲げ強度を高めたまま当該集積空間２１Ａ内を滑空させることができる。この結果、放出部２２は、放出した紙幣ＢＬをステージ２５上に集積されている既存の紙幣ＢＬの真上に整然と積み重ねることができる。
【００９７】
［２．第２の実施の形態］
第２の実施の形態では、図４と対応する図９に示すように、第１の実施の形態による放出部２２に代わる放出部１２２により、紙幣ＢＬを集積空間２１Ａ内へ放出するようになされている。
【００９８】
［２−１．放出部の構成］
放出部１２２は、放出部２２と比較して、下搬送ガイド３２及び押曲部４１に代わる下搬送ガイド１３２及び押曲部１４１を有する点が相違するものの、他の部分については同様に構成されている。
【００９９】
下搬送ガイド１３２は、下搬送ガイド３２と同様に上下に薄い板状に形成されている他、集積ローラ３４及び羽根車３８と対応する部分に加えて押曲部１４１と対応する部分にも上下に貫通する孔部が適宜穿設されている。
【０１００】
押曲部１４１は、左右に薄い板状の押曲片１４２を中心に構成されている。押曲片１４２は、左右方向から見て後上側に頂点１４２Ａを有する三角形状に形成されており、前側の端部には、回動軸１４３が設けられている。
【０１０１】
回動軸１４３は、図９（Ｂ）におけるＤ１−Ｄ２断面を図１０（Ａ）に示すように、左右方向に沿った中心軸を回動中心として、下搬送ガイド１３２に対し押曲片１４２を反時計方向Ｒ１又は時計方向Ｒ２へ自在に回動させ得るようになされている。
【０１０２】
さらに押曲片１４２は、図示しないスプリングにより上方向（すなわち反時計方向Ｒ２）へ付勢されると共に、ストッパ１４４によりその回動範囲が規制されている。
【０１０３】
このため押曲部１４１は、何ら外力が加えられていない場合、図１０（Ａ）に示したように、押曲片１４２の上面の一部をストッパ１４４に当接させることにより、下搬送ガイド１３２よりも上側に最も突出させた状態となり、このとき頂点１４２Ａと上搬送ガイド３１の下面との間に紙幣ＢＬの厚さよりも大きい隙間ｈ１を形成する。
【０１０４】
すなわち放出部１２２は、通常の紙幣ＢＬについては、押曲片１４２を下搬送ガイド１３２よりも上側に最も突出させることにより、第１の実施の形態と同様に、押曲部１４１により紙幣ＢＬを上方向へ持ち上げることができる。
【０１０５】
このとき放出部１２２は、第１の実施の形態と同様、挟持点Ｐ１において上下方向から力Ｆ１を作用させ、当接点Ｐ２において下面側から力Ｆ２を作用させ、押曲点Ｐ３において下面側から力Ｆ３を作用させる（図６）。
【０１０６】
このため放出部１２２は、紙幣ＢＬに前後に長い傾斜面部分ＳＬを形成した状態で集積空間２１Ａ内へ放出することができる。
【０１０７】
一方放出部１２２では、紙幣ＢＬが皺や折り癖を有することにより見かけ上の厚さが隙間ｈ１よりも大きい場合、図１０（Ｂ）に示すように、当該紙幣ＢＬの一部が上搬送ガイド３１の下面に当接すると共に、当該紙幣ＢＬにおける他の一部が押曲片１４２に当接する。
【０１０８】
このとき押曲部１４１の押曲片１４２は、紙幣ＢＬから下方向へ向かう力を受けることにより、時計方向Ｒ２へ僅かに回動し、頂点１４２Ａと上搬送ガイド３１の下面との間隔を広げながらも、スプリングの付勢力により、当該紙幣ＢＬに対し上方向へ向かう力を加える。
【０１０９】
すなわち放出部１２２は、見かけ上の厚さが厚い紙幣ＢＬについては、押曲片１４２を時計方向Ｒ１へ回動させて下搬送ガイド１３２からの突出量を削減することにより、当該紙幣ＢＬの摺動抵抗を低減させながら、押曲部１４１により当該紙幣ＢＬを上方向へ持ち上げることができる。
【０１１０】
このため放出部１２２は、やはり第１の実施の形態と同様、紙幣ＢＬに前後に長い湾曲ＳＣを形成した状態で集積空間２１Ａ内へ放出することができる。
【０１１１】
［２−２．動作及び効果］
以上の構成において、第２の実施の形態による放出部１２２は、挟持搬送部３３の集積ローラ３４及びプレッシャローラ３６により挟持点Ｐ１において上下方向から力Ｆ１を作用させ、羽根車３８により当接点Ｐ２において下面側から力Ｆ２を作用させ、押曲部１４１により押曲点Ｐ３において下面側から力Ｆ３を作用させる（図６）。
【０１１２】
これにより放出部１２２は、紙幣ＢＬのうち挟持搬送部３３により挟持する挟持点Ｐ１よりも外側の端部分を、当接点Ｐ２及び押曲点Ｐ３の双方において挟持面３３Ａ（図５（Ａ））よりも上方へ持ち上げた状態で集積空間２１Ａ内へ放出することができる。
【０１１３】
このとき放出部１２２は、紙幣ＢＬに前後に長い傾斜面部分ＳＬを形成すると共に、当該傾斜面部分ＳＬと平行面部分ＳＰとの境界近傍に、やはり前後に長い湾曲面ＳＣをそれぞれ形成することができる（図６）。
【０１１４】
このため放出部１２２から放出された紙幣ＢＬは、第１の実施の形態と同様、まっすぐ後方へ進行することができ、ビルストッパ２３に跳ね返された後、最終的にステージ２５上に集積されている既存の紙幣ＢＬの真上に整然と積み重なることができる。
【０１１５】
また押曲部１４１は、回動軸１４３を回動中心として押曲片１４２を回動させると共に、スプリングにより反時計方向Ｒ１へ付勢しているため、紙幣ＢＬの厚さに応じて、下搬送ガイド１３２の上面からの押曲片１４２の突出量を変化させることができる。
【０１１６】
すなわち放出部１２２は、通常の紙幣ＢＬについては、押曲片１４２の突出量を最大として十分に上方へ持ち上げることができ、見かけの厚さが厚い紙幣ＢＬについては、押曲片１４２を時計方向Ｒ１へ回動させて突出量を削減することにより、摺動抵抗を高めること無く上方向へ持ち上げ、十分な放出速度で放出することができる。
【０１１７】
さらに放出部１２２は、ストッパ１４４により押曲片１４２の回動範囲を規制しているため、その突出量を最大とするときにも上搬送ガイド３１の下面との間に隙間ｈ１を形成でき、通常の紙幣ＢＬに対する摺動抵抗についても不用意に高めることが無い。
【０１１８】
その他の点についても、第２の実施の形態による放出部１２２は、第１の実施の形態による放出部２２と同様の作用効果を奏し得る。
【０１１９】
以上の構成によれば、第２の実施の形態による放出部１２２は、挟持位置Ｕ１において挟持搬送部３３により紙幣ＢＬを挟持面３３Ａに挟持すると共に、挟持位置Ｕ１の羽根車３８及び押曲位置Ｕ２の押曲部１４１により、当該紙幣ＢＬの端部分を挟持面３３Ａよりも上方へそれぞれ持ち上げる。また押曲部１４１は、紙幣ＢＬの見かけの厚さに応じて、押曲片１４２の下搬送ガイド１３２の上面からの突出量を変更する。これにより放出部１２２は、紙幣ＢＬを集積空間２１Ａ内へ放出する直前に、摺動抵抗を不用意に高めること無く、左右の端部分を挟持面３３Ａよりも上方へ持ち上げることができるので、十分な速度で放出でき、湾曲面ＳＣにより上下方向の曲げ強度を高めたまま当該集積空間２１Ａ内を滑空させることができる。この結果、放出部１２２は、放出した紙幣ＢＬをステージ２５上に集積されている既存の紙幣ＢＬの真上に整然と積み重ねることができる。
【０１２０】
［３．第３の実施の形態］
第３の実施の形態では、図４と対応する図１１に示すように、第１の実施の形態による放出部２２に代わる放出部２２２により、紙幣ＢＬを集積空間２１Ａ内へ放出するようになされている。
【０１２１】
［３−１．放出部の構成］
放出部２２２は、放出部２２と比較して、下搬送ガイド３２及び押曲部４１に代わる下搬送ガイド２３２及び押曲部２４１を有する点が相違するものの、他の部分については同様に構成されている。
【０１２２】
下搬送ガイド２３２は、下搬送ガイド３２と同様に上下に薄い板状に形成されている他、集積ローラ３４及び羽根車３８と対応する部分に加えて押曲部２４１と対応する部分にも上下に貫通する孔部が適宜穿設されている。
【０１２３】
押曲部２４１は、円柱状のローラ２４２及び当該ローラ２４２を回転自在に支持するホルダ２４３の組み合わせにより構成されている。
【０１２４】
ローラ２４２は、プレッシャローラ３６を小径化し、且つ左右方向にも薄型化したような小さい円柱状に構成されている。
【０１２５】
ホルダ２４３は、上下に薄く前後に長い薄板状の底板部分における左右両辺から上方へ向けて、左右方向から見て台形状の側板が延設されており、左右両側板の間にローラ２４２を回転自在に軸支している。
【０１２６】
またホルダ２４３は、下搬送ガイド２３２に取り付けられており、下搬送ガイド２３２の上面から当該ホルダ２４３及びローラ２４２の上側部分を露出させると共に、ローラ２４２の上端と上搬送ガイド３１の下面との間に紙幣ＢＬの厚さよりも大きい隙間を形成している。
【０１２７】
かかる構成により放出部２２２は、紙幣ＢＬを後方へ搬送する際、当該紙幣ＢＬの端部分を押曲部２４１に当接させる。このとき押曲部２４１は、後方向へ進行する紙幣ＢＬとの摩擦によりローラ２４２を回転させながら、当該紙幣ＢＬを上方向へ持ち上げることができる。
【０１２８】
また放出部２２２は、第１の実施の形態と同様、挟持点Ｐ１において上下方向から力Ｆ１を作用させ、当接点Ｐ２において下面側から力Ｆ２を作用させ、押曲点Ｐ３において下面側から力Ｆ３を作用させる（図６）。
【０１２９】
このため放出部２２２は、やはり第１の実施の形態と同様、紙幣ＢＬに前後に長い湾曲面ＳＣを形成した状態で集積空間２１Ａ内へ放出することができる。
【０１３０】
［３−２．動作及び効果］
以上の構成において、第３の実施の形態による放出部２２２は、挟持位置Ｕ１において挟持搬送部３３の集積ローラ３４及びプレッシャローラ３６により紙幣ＢＬを挟持面３３Ａ（図５（Ａ））に挟持すると共に、羽根車３８により当該紙幣ＢＬの端部分を当該挟持面３３Ａよりも上方へ持ち上げる。
【０１３１】
また放出部２２２は、挟持位置Ｕ１の後方である押曲位置Ｕ２においても、押曲部２４１により当該紙幣ＢＬの端部分を挟持面３３Ａよりも上方へ持ち上げる。
【０１３２】
これにより放出部２２２は、紙幣ＢＬに前後に長い傾斜面部分ＳＬを形成すると共に、当該傾斜面部分ＳＬと平行面部分ＳＰとの境界近傍に、やはり前後に長い湾曲面ＳＣをそれぞれ形成することができる（図６）。
【０１３３】
そして放出部２２２は、紙幣ＢＬを湾曲された状態で放出することにより、第１の実施の形態と同様、当該紙幣ＢＬをまっすぐ後方へ進行させることができ、最終的にステージ２５上に集積されている既存の紙幣ＢＬの真上に整然と積み重ねることができる。
【０１３４】
特に押曲部２４１は、ローラ２４２を自在に回転させるため、後方向へ進行する紙幣ＢＬとの間に摺動摩擦を殆ど生じることなく当該紙幣ＢＬを持ち上げることができ、当該紙幣ＢＬを摺動により傷めることもない。
【０１３５】
このとき放出部２２２は、第１の実施の形態よりも円滑に紙幣ＢＬを搬送することができるので、集積空間２１Ａ内への放出速度を高めることができ、湾曲された形状を維持し真後ろへ進行している間にビルストッパ２３に衝突させることができる。
【０１３６】
その他の点についても、第３の実施の形態による放出部２２２は、第１の実施の形態による放出部２２と同様の作用効果を奏し得る。
【０１３７】
以上の構成によれば、第３の実施の形態による放出部２２２は、挟持位置Ｕ１において挟持搬送部３３により紙幣ＢＬを挟持面３３Ａに挟持すると共に、挟持位置Ｕ１の羽根車３８及び押曲位置Ｕ２の押曲部２４１により、当該紙幣ＢＬの端部分を挟持面３３Ａよりも上方へそれぞれ持ち上げる。また押曲部２４１は、ローラ２４２を紙幣ＢＬに当接させ、その進行に伴い当該ローラ２４２を回転させる。これにより放出部２２２は、紙幣ＢＬを集積空間２１Ａ内へ放出する直前に、摺動摩擦を殆ど生じること無く、左右の端部分を挟持面３３Ａよりも上方へ持ち上げることができるので、十分な速度で放出でき、湾曲面ＳＣにより上下方向の曲げ強度を高めた状態を維持している間に、当該集積空間２１Ａ内を滑空させビルストッパ２３に到達させることができる。この結果、放出部２２２は、放出した紙幣ＢＬをステージ２５上に集積されている既存の紙幣ＢＬの真上に整然と積み重ねることができる。
【０１３８】
［４．第４の実施の形態］
第４の実施の形態では、図４の一部を拡大した図１２に示すように、第１の実施の形態による放出部２２に代わる放出部３２２により、紙幣ＢＬを集積空間２１Ａ内へ放出するようになされている。
【０１３９】
［４−１．放出部の構成］
放出部３２２は、放出部２２と比較して上搬送ガイド３１及び押曲部４１に代わる上搬送ガイド３３１及び押曲部３４１を有する点が相違するものの、他の部分については同様に構成されている。
【０１４０】
押曲部３４１は、押曲部４１と同様に左右方向に薄い板状に構成されているものの、左右方向から見た形状が台形状ではなく、斜面が上方まで延長された三角形状となっている。
【０１４１】
また押曲部３４１における後上側の頂点は、上搬送ガイド３３１の下面よりも上側に達している。すなわち押曲部３４１の下搬送ガイド３２からの高さは、第１の実施の形態よりも高くなっている。
【０１４２】
上搬送ガイド３３１は、全体的に上搬送ガイド３１と同様に上下に薄い板状に形成されているものの、下面の後端部分における押曲部３４１と対向する箇所に溝部３３１Ａが形成されている。
【０１４３】
溝部３３１Ａは、上搬送ガイド３３１における下面の後端部分に、押曲部３４１の斜面部分との間に一定の間隔を空けるよう後側へ向けて徐々に高くなる斜面と、押曲部３４１の左右側面との間に一定の間隔を空けた左右の側面とにより、横向きの三角柱状の溝空間を形成している。
【０１４４】
かかる構成により放出部２２２は、紙幣ＢＬを後方へ搬送する際、当該紙幣ＢＬの端部分を押曲部３４１に当接させ、当該紙幣ＢＬの端部分を上方へ持ち上げる。
【０１４５】
このとき上搬送ガイド３３１は、押曲部３４１により上方向へ持ち上げられた紙幣ＢＬを溝部３３１Ａへ逃がすことにより、当該紙幣ＢＬとの間に摺動摩擦を殆ど生じることがない。
【０１４６】
このため放出部３２２は、やはり第１の実施の形態と同様、紙幣ＢＬに前後に長い湾曲面ＳＣを形成した状態で当該紙幣ＢＬを集積空間２１Ａ内へ放出することができる。
【０１４７】
［４−２．動作及び効果］
以上の構成において、第４の実施の形態による放出部３２２は、挟持位置Ｕ１において挟持搬送部３３の集積ローラ３４及びプレッシャローラ３６により紙幣ＢＬを挟持面３３Ａ（図５（Ａ））に挟持すると共に、羽根車３８により当該紙幣ＢＬの端部分を当該挟持面３３Ａよりも上方へ持ち上げる。
【０１４８】
また放出部３２２は、挟持位置Ｕ１の後方である押曲位置Ｕ２においても、押曲部３４１により当該紙幣ＢＬの端部分を挟持面３３Ａよりも上方へ持ち上げる。
【０１４９】
これにより放出部３２２は、紙幣ＢＬに前後に長い傾斜面部分ＳＬを形成すると共に、当該傾斜面部分ＳＬと平行面部分ＳＰとの境界近傍に、やはり前後に長い湾曲面ＳＣをそれぞれ形成することができる（図６）。
【０１５０】
そして放出部３２２は、紙幣ＢＬを湾曲された状態で放出することにより、第１の実施の形態と同様、当該紙幣ＢＬをまっすぐ後方へ進行させることができ、最終的にステージ２５上に集積されている既存の紙幣ＢＬの真上に整然と積み重ねることができる。
【０１５１】
特に放出部３２２は、上搬送ガイド３３１における押曲部３４１と対向する箇所に溝部３３１Ａを形成したことにより、押曲部３４１の下搬送ガイド３２からの高さを拡大することができるので、紙幣ＢＬをより高く持ち上げることができる。
【０１５２】
このとき放出部３２２は、湾曲面ＳＣを大きく湾曲させることができるので、集積空間２１Ａ内へ放出された後も長い間に渡って湾曲形状を維持することができ、真後ろへ進行している間にビルストッパ２３に衝突させることができる。
【０１５３】
また放出部３２２は、紙幣ＢＬを上搬送ガイド３３１に殆ど当接又は摺動させないため、紙幣ＢＬの放出速度を低下させることが無く、また紙幣ＢＬを傷めることもない。
【０１５４】
その他の点についても、第４の実施の形態による放出部３２２は、第１の実施の形態による放出部２２と同様の作用効果を奏し得る。
【０１５５】
以上の構成によれば、第４の実施の形態による放出部３２２は、挟持位置Ｕ１において挟持搬送部３３により紙幣ＢＬを挟持面３３Ａに挟持すると共に、挟持位置Ｕ１の羽根車３８及び押曲位置Ｕ２の押曲部３４１により、当該紙幣ＢＬの端部分を挟持面３３Ａよりも上方へそれぞれ持ち上げる。また上搬送ガイド３３１は、溝部３３１Ａにより紙幣ＢＬとの当接や摺動を回避する。これにより放出部３２２は、紙幣ＢＬを集積空間２１Ａ内へ放出する直前に、左右の端部分を挟持面３３Ａよりも十分に上方へ持ち上げることができるので、大きく形成された湾曲面ＳＣにより上下方向の曲げ強度を高めた状態を維持している間に、当該集積空間２１Ａ内を滑空させビルストッパ２３に到達させることができる。この結果、放出部３２２は、放出した紙幣ＢＬをステージ２５上に集積されている既存の紙幣ＢＬの真上に整然と積み重ねることができる。
【０１５６】
［５．第５の実施の形態］
第５の実施の形態では、図４と対応する図１３に示すように、第１の実施の形態による放出部２２に代わる放出部４２２により、紙幣ＢＬを集積空間２１Ａ内へ放出するようになされている。
【０１５７】
［５−１．放出部の構成］
放出部４２２は、放出部２２と比較して下搬送ガイド３２に代わる下搬送ガイド４３２を有する点及び上押曲部４４１を有する点、並びに６個の羽根車３８及び６個の押曲部４１を有する点が相違するものの、他の部分については同様に構成されている。
【０１５８】
下搬送ガイド４３２は、下搬送ガイド３２と同様に上下に薄い板状に形成されており、２個の集積ローラ３４及び６個の羽根車３８とそれぞれ対応する部分に、上下に貫通する孔部が適宜穿設されている。
【０１５９】
上押曲部４４１は、上搬送ガイド３１の下面後端部における３箇所にそれぞれ設けられており、押曲部４１を上下に反転させたような形状、すなわち左右方向から見て下底よりも上底が長い台形状となっている。
【０１６０】
また上押曲部４４１の下面は、挟持搬送部３３の挟持面３３Ａよりも低いものの、下搬送ガイド３２の上面との間に紙幣ＢＬの厚さよりも大きい隙間を形成している。
【０１６１】
このため上押曲部４４１は、図１３（Ｂ）におけるＥ１−Ｅ２断面を図１４に示すように、挟持搬送部３３により前方から後方へ向けて紙幣ＢＬが搬送されてくると、当該紙幣ＢＬを斜面に摺動させながら徐々に下方へ押し下げていき、下面により当該紙幣ＢＬを挟持搬送部３３の挟持面３３Ａよりも低い位置に押し下げる。
【０１６２】
これにより上押曲部４４１は、紙幣ＢＬにおける当該上押曲部４４１との当接箇所の近傍を湾曲させることができる。
【０１６３】
［５−２．動作及び効果］
以上の構成において、第５の実施の形態による放出部４２２は、第１の実施の形態と同様に押曲部４１により紙幣ＢＬの一部を上方向へ持ち上げると共に、当該紙幣ＢＬの他の箇所を下押曲部４４１により下方向へ押し下げる。
【０１６４】
これにより放出部４２２は、紙幣ＢＬに第１の実施の形態よりも多くの湾曲面ＳＣを形成することができるので、当該紙幣ＢＬにおける上下方向への曲げ強度をさらに高めた状態で、集積空間２１Ａ内へ放出することができる。
【０１６５】
このため放出部４２２から放出された紙幣ＢＬは、第１の実施の形態と同様、まっすぐ後方へ進行することができ、ビルストッパ２３に跳ね返された後、最終的にステージ２５上に集積されている既存の紙幣ＢＬの真上に整然と積み重なることができる。
【０１６６】
その他の点についても、第５の実施の形態による放出部４２２は、第１の実施の形態による放出部２２と同様の作用効果を奏し得る。
【０１６７】
以上の構成によれば、第５の実施の形態による放出部４２２は、押曲部４１により紙幣ＢＬの一部を上方向へ持ち上げると共に、当該紙幣ＢＬの他の箇所を下押曲部４４１により下方向へ押し下げる。これにより放出部４２２は、紙幣ＢＬを集積空間２１Ａ内へ放出する直前に、多数の湾曲面ＳＣにより上下方向の曲げ強度を高めて当該集積空間２１Ａ内を滑空させることができる。この結果、放出部４２２は、放出した紙幣ＢＬをステージ２５上に集積されている既存の紙幣ＢＬの真上に整然と積み重ねることができる。
【０１６８】
［６．第６の実施の形態］
第６の実施の形態では、図４と対応する図１５に示すように、第１の実施の形態による放出部２２に代わる放出部５２２により、紙幣ＢＬを集積空間２１Ａ内へ放出するようになされている。
【０１６９】
［６−１．放出部の構成］
放出部５２２は、放出部２２と比較して押曲部４１に代わる押曲部５４１を有する点が相違するものの、他の部分については同様に構成されている。
【０１７０】
押曲部５４１は、押曲部４１を前方向に延長したような形状となっており、挟持位置Ｕ１よりも前方の前押曲位置Ｕ３から下搬送ガイド３２の後端近傍となる押曲位置Ｕ２に渡る長い範囲に上面が形成されている。
【０１７１】
これにより放出部５２２は、紙幣ＢＬの端部分を第１の実施の形態よりも前後に長い区間に渡って持ち上げることができる。
【０１７２】
このため放出部５２２は、やはり第１の実施の形態と同様、紙幣ＢＬに前後に長い傾斜面部分ＳＬを形成した状態で当該紙幣ＢＬを集積空間２１Ａ内へ放出することができる。
【０１７３】
［６−２．動作及び効果］
以上の構成において、第６の実施の形態による放出部５２２は、挟持位置Ｕ１において挟持搬送部３３の集積ローラ３４及びプレッシャローラ３６により紙幣ＢＬを挟持面３３Ａ（図５（Ａ））に挟持すると共に、羽根車３８により当該紙幣ＢＬの端部分を当該挟持面３３Ａよりも上方へ持ち上げる。
【０１７４】
また放出部５２２は、挟持位置Ｕ１の後方である押曲位置Ｕ２においても、押曲部５４１により当該紙幣ＢＬの端部分を挟持面３３Ａよりも上方へ持ち上げる。
【０１７５】
これにより放出部５２２は、紙幣ＢＬに前後に長い傾斜面部分ＳＬを形成すると共に、当該傾斜面部分ＳＬと平行面部分ＳＰとの境界近傍に、やはり前後に長い湾曲面ＳＣをそれぞれ形成することができる（図６）。
【０１７６】
このため放出部５２２から放出された紙幣ＢＬは、第１の実施の形態と同様、まっすぐ後方へ進行することができ、ビルストッパ２３に跳ね返された後、最終的にステージ２５上に集積されている既存の紙幣ＢＬの真上に整然と積み重なることができる。
【０１７７】
さらに放出部５２２は、押曲部５４１の上面を前押曲位置Ｕ３にまで到達させたことにより、紙幣ＢＬの端部分を長い区間に渡って持ち上げることができるので、当該紙幣ＢＬに形成する傾斜面部分ＳＬを延長でき、当該傾斜面部分ＳＬと平行面部分ＳＰとの境界近傍に形成する湾曲面ＳＣも延長することができる。
【０１７８】
このため放出部５２２は、紙幣ＢＬに湾曲面ＳＣをより確実に形成することができるので、集積空間２１Ａ内へ放出された後も長い間に渡って当該紙幣ＢＬに湾曲形状を維持させることができる。
【０１７９】
その他の点についても、第６の実施の形態による放出部５２２は、第１の実施の形態による放出部２２と同様の作用効果を奏し得る。
【０１８０】
以上の構成によれば、第６の実施の形態による放出部５２２は、挟持位置Ｕ１において挟持搬送部３３により紙幣ＢＬを挟持面３３Ａに挟持すると共に、挟持位置Ｕ１の羽根車３８及び押曲位置Ｕ２の押曲部５４１により、当該紙幣ＢＬの端部分を挟持面３３Ａよりも上方へそれぞれ持ち上げる。また押曲部５４１は、前押曲位置Ｕ３から押曲位置Ｕ２に渡る長い区間で紙幣ＢＬを持ち上げる。これにより放出部５２２は、紙幣ＢＬを集積空間２１Ａ内へ放出する直前に、左右の端部分を挟持面３３Ａよりも上方へ持ち上げることができるので、形成された湾曲面ＳＣにより上下方向の曲げ強度を高めた状態を維持している間に、当該集積空間２１Ａ内を滑空させビルストッパ２３に到達させることができる。この結果、放出部５２２は、放出した紙幣ＢＬをステージ２５上に集積されている既存の紙幣ＢＬの真上に整然と積み重ねることができる。
【０１８１】
［７．他の実施の形態］
なお上述した第１の実施の形態においては、下搬送ガイド３２の後端部に押曲部４１を設けるようにした場合について述べた。
【０１８２】
しかしながら本発明はこれに限らず、例えば図４（Ａ）と対応する図１６に示すように、放出部６２２において押曲部４１を挟持位置Ｕ１と下搬送ガイド３２の後端部との間に設けるようにしても良い。すなわち押曲部４１の前後方向に関する位置（押曲位置Ｕ２）は、挟持搬送部３３による挟持位置Ｕ１よりも後方（すなわち集積空間２１Ａ側）であって下搬送ガイド３２の後端部よりも前方であれば良い。第２〜第６の実施の形態についても同様である。
【０１８３】
また上述した第１の実施の形態においては、羽根車３８により点Ｐ２（図６）において紙幣ＢＬの端部分を上方へ持ち上げるようにした場合について述べた。
【０１８４】
しかしながら本発明はこれに限らず、例えば羽根車３８の舌片３８Ｂを短縮し、或いは羽根車３８を下方に配置する等することにより、点Ｐ２において紙幣ＢＬを持ち上げないようにしても良い。要は、少なくとも挟持位置Ｕ１よりも後方の押曲位置Ｕ２において紙幣ＢＬの端部分を持ち上げるようにすれば良い。第２〜第６の実施の形態についても同様である。
【０１８５】
さらに上述した第２の実施の形態においては、押曲部１４１のストッパ１４４を固定し、押曲片１４２に外力が加えられない場合には当該押曲片１４２を下搬送ガイド１３２よりも上側に突出させるようにした場合について述べた。
【０１８６】
しかしながら本発明はこれに限らず、例えば図１０（Ａ）と対応する図１７に示すように、放出部７２２において、ストッパ１４４を一時的に下方向へ移動させることにより、押曲片１４２を時計方向Ｒ２へ回動させて下搬送ガイド１３２の上面から突出させないように、すなわち埋没させるようにしても良い。
【０１８７】
この放出部７２２では、搬送路Ｗに沿って紙幣ＢＬを後方から前方へ向けて搬送する場合に、当該搬送路Ｗから押曲片１４２を退避させて円滑に搬送することが可能となる。このため放出部７２２は、例えば紙幣カセット１７（図２）のように、外部から供給される紙幣ＢＬを内部に集積するだけでなく、内部に集積された紙幣ＢＬを反対方向へ搬送して外部へ繰り出すような部分にも、適用することが可能となる。
【０１８８】
さらに上述した第２の実施の形態においては、押曲片１４２の一部をストッパ１４４に当接させることにより、頂点１４２Ａと上搬送ガイド３１の下面との間に隙間ｈ１を形成するようにした場合について述べた。
【０１８９】
しかしながら本発明はこれに限らず、ストッパ１４４を省略することにより、頂点１４２Ａを上搬送ガイド３１の下面に当接させるようにしても良い。この場合、図示しないスプリングによる付勢力を弱めておくことにより、搬送されてきた紙幣ＢＬが押曲片１４２を時計方向Ｒ２へ回動させながら（すなわち押し下げながら）進行できるようにすれば良い。
【０１９０】
さらに上述した第３の実施の形態においては、押曲部２４１にローラ２４２を設けるようにした場合について述べた。
【０１９１】
しかしながら本発明はこれに限らず、例えば図１１（Ａ）と対応する図１８に示すように、放出部８２２において、上搬送ガイド８３１の押曲部４１と対向する箇所にローラ８４２を設けるようにしても良い。また、図１１（Ａ）と対応する図１９に示すように、放出部９２２において、上搬送ガイド８３１における押曲部２４１のローラ２４２と対向する箇所にローラ８４２を設けるようにしても良い。
【０１９２】
さらに上述した第４の実施の形態においては、下搬送ガイド３２に押曲部３４１を設けると共に、上搬送ガイド３３１における当該押曲部３４１と対向する箇所に溝部３３１Ａを形成するようにした場合について述べた。
【０１９３】
しかしながら本発明はこれに限らず、例えば第５の実施の形態のように上搬送ガイド３１に上押曲部４４１を設ける場合に、下搬送ガイド３２における当該上押曲部４４１と対向する箇所に溝部３３１Ａを上下反転させたような形状の溝部を形成するようにしても良い。
【０１９４】
さらに上述した第５の実施の形態においては、上搬送ガイド３１の下面に設ける上押曲部４４１を、押曲部４１を上下に反転させたような形状とする場合について述べた。
【０１９５】
しかしながら本発明はこれに限らず、上押曲部４４１を、例えば第２の実施の形態における押曲部１４１を上下に反転させたような形状や、第３の実施の形態における押曲部２４１を上下に反転させたような形状等、種々の形状とするようにしても良い。
【０１９６】
さらに上述した第６の実施の形態においては、前押曲位置Ｕ３から挟持位置Ｕ２を挟んで押曲位置Ｕ２に至るまで、前後方向に延長された押曲部５４１を設けるようにした場合について述べた。
【０１９７】
しかしながら本発明はこれに限らず、例えば図１５（Ａ）と対応する図２０に示すように、放出部１０２２において、押曲部５４１を前後に２分割すると共に中間部分を省略することにより、前側の押曲部１０４２と後側の押曲部４１とを設ける等、複数の押曲部を前後方向に離散的に配置するようにしても良い。またこの場合、各押曲部を第２の実施の形態における押曲部１４１や第３の実施の形態における押曲部２４１のように種々の構成としても良い。
【０１９８】
さらに上述した第１の実施の形態においては、上搬送ガイド３１及び下搬送ガイド３２をそれぞれ平板状にとして搬送路Ｗを前後方向にほぼまっすぐ進行させたことにより、当該搬送路Ｗ内で紙幣ＢＬをほぼ真後ろへ進行させるようにした場合について述べた。
【０１９９】
しかしながら本発明はこれに限らず、例えば図２１（Ａ）に示すように、放出部１１２２において、挟持搬送部３３の前上方に紙幣ＢＬを挟持し搬送するローラ１１４１及び１１４２を配置し、上搬送ガイド１１３１及び下搬送ガイド１１３２それぞれの前側部分を上方へ向けて湾曲させることにより、搬送路Ｗを前方上側から下降し徐々に後方へ向くよう湾曲させても良い。因みに角度θは、例えば９０度とすることができる。
【０２００】
また、図２１（Ｂ）に示すように、放出部１２２２において、挟持搬送部３３の前下方に紙幣ＢＬを挟持して搬送するローラ１２４１及び１２４２を配置し、上搬送ガイド１２３１及び下搬送ガイド１２３２それぞれの前側部分を下方へ向けて湾曲させることにより、搬送路Ｗを前方下側から上昇し徐々に後方へ向くよう湾曲させても良い。因みにこの角度θも、例えば９０度とすることができる。
【０２０１】
これらの放出部１１２２及び１２２２では、搬送中に紙幣ＢＬを進行方向（短手方向）に湾曲させるため、この状態でさらに左右方向（長手方向）へ湾曲させ、その形状をその後も維持させることは一般的に難しい。
【０２０２】
しかしながらこの放出部１１２２及び１２２２は、第１の実施の形態と同様、下搬送ガイド１１３２及び１２３２の後端部に押曲部４１が設けられ、挟持搬送部３３による挟持位置Ｕ１よりも後方に押曲位置Ｕ２を位置させている。このため放出部１１２２及び１２２２は、図２２（Ａ）及び（Ｂ）にそれぞれ示すように、紙幣ＢＬを進行方向（短手方向）に湾曲させながらも、押曲部４１により左右方向（長手方向）に湾曲させ、その形状を放出後も維持させることができる。
【０２０３】
さらに上述した第１の実施の形態においては、放出部２２に挟持搬送部３３を２個、羽根車３８を４個、及び押曲部４１を３個設けるようにした場合について述べた。
【０２０４】
しかしながら本発明はこれに限らず、それぞれ任意数の挟持搬送部３３、羽根車３８及び押曲部４１をそれぞれ設けるようにしても良い。また左右方向におけるそれぞれの配置順序や位置についても適宜定めれば良い。この場合、要は紙幣ＢＬが集積空間２１Ａに放出される際に適切な湾曲面ＳＣを形成できれば良い。第２〜第６の実施の形態についても同様である。
【０２０５】
さらに上述した第１の実施の形態においては、放出部２２から放出された紙幣ＢＬの集積方向を縦方向とするように、すなわち紙幣ＢＬの紙面を上下に向けて縦方向に互いに積み重ねるようにした場合について述べた。
【０２０６】
しかしながら本発明はこれに限らず、紙幣ＢＬの集積方向を斜め方向や横方向としても良い。この場合、集積方向に合わせて放出部２２から紙幣ＢＬを放出する方向を適宜調整すれば良い。第２〜第６の実施の形態についても同様である。
【０２０７】
さらに上述した第１の実施の形態においては、リジェクト庫１６の放出部２２に本発明を適用するようにした場合について述べた。
【０２０８】
しかしながら本発明はこれに限らず、例えば入出金部１２（図２）内における出金紙幣の集積部や紙幣カセット１７等、内部に集積空間を有し外部から供給される紙幣ＢＬをこの集積空間内へ放出して集積する種々の箇所に適用するようにしても良い。第２〜第６の実施の形態についても同様である。
【０２０９】
さらに上述した第１の実施の形態においては、金融機関等において顧客との間で現金に関する取引を行う現金自動預払機１のリジェクト庫１６において、媒体としての紙幣ＢＬを集積するようにした場合について述べた。
【０２１０】
しかしながら本発明はこれに限らず、例えば金融機関等において職員が現金に関する各種処理を行うための出納システムに組み込まれるリジェクト庫に適用するようにしても良く、或いは商品券や金券、入場券等のような紙葉状の媒体を集積する種々の装置に適用するようにしても良い。第２〜第６の実施の形態についても同様である。
【０２１１】
さらに上述した実施の形態においては、集積空間としての集積空間２１Ａと、案内部としての上搬送ガイド３１及び下搬送ガイド３２と、挟持搬送部としての挟持搬送部３３と、押曲部としての押曲部４１とによって媒体集積装置としてのリジェクト庫１６を構成する場合について述べた。
【０２１２】
しかしながら本発明はこれに限らず、その他種々の構成でなる集積空間と、案内部と、挟持搬送部と、押曲部とによって媒体集積装置を構成するようにしても良い。
【０２１３】
さらに上述した実施の形態においては、搬送部としての搬送部１３と、集積空間としての集積空間２１Ａと、案内部としての上搬送ガイド３１及び下搬送ガイド３２と、挟持搬送部としての挟持搬送部３３と、押曲部としての押曲部４１とによって媒体処理装置としての現金自動預払機１を構成する場合について述べた。
【０２１４】
しかしながら本発明はこれに限らず、その他種々の構成でなる搬送部と、集積空間と、案内部と、挟持搬送部と、押曲部とによって媒体処理装置を構成するようにしても良い。
【産業上の利用可能性】
【０２１５】
本発明は、紙葉状の媒体を集積空間へ放出して集積する種々の装置でも利用できる。
【符号の説明】
【０２１６】
１……現金自動預払機、１３……搬送部、１６……リジェクト庫、２１……筐体、２１Ａ……集積空間、２２、１２２、２２２、３２２、４２２、５２２……放出部、２４……前側面板、３１、３３１……上搬送ガイド、３２、１３２、２３２、４３２……下搬送ガイド、３３……挟持搬送部、３３Ａ……挟持面、３４……集積ローラ、３５……軸、３６……プレッシャローラ、３８……羽根車、４１、１４１、２４１、３４１、４４１、５４１……押曲部、ＢＬ……紙幣、Ｕ１……挟持位置、Ｕ２……押曲位置、Ｕ３……前押曲位置、Ｐ１……挟持点、Ｐ２……当接点、Ｐ３……押曲点、ＳＣ……湾曲面。
【図１】
2013239075.tif 000003
【図２】
2013239075.tif 000004
【図３】
2013239075.tif 000005
【図４】
2013239075.tif 000006
【図５】
2013239075.tif 000007
【図６】
2013239075.tif 000008
【図７】
2013239075.tif 000009
【図８】
2013239075.tif 000010
【図９】
2013239075.tif 000011
【図１０】
2013239075.tif 000012
【図１１】
2013239075.tif 000013
【図１２】
2013239075.tif 000014
【図１３】
2013239075.tif 000015
【図１４】
2013239075.tif 000016
【図１５】
2013239075.tif 000017
【図１６】
2013239075.tif 000018
【図１７】
2013239075.tif 000019
【図１８】
2013239075.tif 000020
【図１９】
2013239075.tif 000021
【図２０】
2013239075.tif 000022
【図２１】
2013239075.tif 000023
【図２２】
2013239075.tif 000024
【図２３】
2013239075.tif 000025
【図２４】
2013239075.tif 000026
【図２５】
2013239075.tif 000027
【図２６】
2013239075.tif 000028